(57)【要約】【課題】ミシン目による取出口から埃や塵等が入らないようにして衛生的な状態を保つようにするとともに、ミシン目の開封が容易に行えるようにする。【解決手段】２枚一組のティッシュペーパー２が上下のティッシュペーパー２，２と折り重ねられた状態で重畳されるとともに、このティッシュペーパー束２Ａが表面側に長手方向に沿ってミシン目３ａが形成されたフィルム包装袋３内に収容された携帯用ティッシュ１において、前記フィルム包装袋３は、ミシン目３ａが形成された表面側シート部分において長手方向に連続する断面Ｚ状の折り部５を有し、この折り部５の自由片によって前記ミシン目３ａが覆い隠されている構造とする。【選択図】  図１
2004224362.tif 000002
【特許請求の範囲】
【請求項１】
２枚一組のティッシュペーパーが上下のティッシュペーパーと折り重ねられた状態で重畳されるとともに、このティッシュペーパー束が表面側に長手方向に沿ってミシン目が形成されたフィルム包装袋内に収容された携帯用ティッシュにおいて、
前記フィルム包装袋は、ミシン目が形成された表面側シート部分において長手方向に連続する断面Ｚ状の折り部を有し、この折り部の自由片によって前記ミシン目が覆い隠されていることを特徴とする携帯用ティッシュ。
【請求項２】
前記折り部の幅は前記フィルム包装袋の短辺寸法の１０〜４０％としてある請求項１記載の携帯用ティッシュ。
【請求項３】
２枚一組のティッシュペーパーが上下のティッシュペーパーと折り重ねられた状態で重畳されるとともに、このティッシュペーパー束が表面側に長手方向に沿ってミシン目が形成されたフィルム包装袋内に収容された携帯用ティッシュにおいて、
前記ミシン目を覆う開閉可能な蓋用シート材を設けるとともに、前記蓋用シート材の先端部分において、該蓋用シート材の内面及び／又はフィルム包装袋側に剥離可能な粘着剤層を設けたことを特徴とする携帯用ティッシュ。
【請求項４】
前記蓋用シート材は、フィルム包装袋の一部を延在させて形成したフィルム包装袋と一体の部材である請求項３記載の携帯用ティッシュ。
【請求項５】
前記蓋用シート材は、フィルム包装袋とは別体の部材である請求項３記載の携帯用ティッシュ。
【発明の詳細な説明】
【０００１】
【発明の属する技術分野】
本発明は、特には鼻炎、花粉症、旅行等のある程度の使用量が必要とされる際に、使用に供されるパック包装の携帯用ティッシュに関する。
【０００２】
【従来の技術】
現在、ティッシュペーパーは使用者の便宜に供するように、種々の形態で市場に提供されている。最も多いのは、ボックス型とポケット型である。前者のボックス型は、上面に取出口を有する紙箱内に、通常は２００組（４００枚）のテッシュペーパーを折り重ねた状態で収容したもので、後者のポケット型は概ね縦７０〜８０ｍｍ、横１１０〜１２０ｍｍのサイズのポリエチレン包装袋内に１０〜１５組程度のティッシュペーパーを折り重ねた状態（以下、ティッシュペーパー束という。）で収容したものである。
【０００３】
近年、これらボックス型とポケット型に加え、中間サイズのパック包装された携帯用ティッシュ（以下、ハンディ型という。）が市場に提供されるようになってきた。このハンディ型携帯ティッシュは、主には鼻炎、花粉症、旅行等のある程度の使用量が必要とされる際、使用に供されるもので、図９に示されるように、幅方向中心位置に長手方向に沿って１本のミシン目５０ａが形成されたポリエチレン又はポリプロピレン等のフィルム包装袋５０内に約５０組程度のティッシュペーパー束５１Ａを収容し、短辺側の２側縁５２，５２をそれぞれシール封鎖したもので、平面サイズはほぼ前記ボックス型と同程度のサイズを有する。使用に際しては、前記ミシン目５０ａを開封し（以降、取出口５０ａともいう。）、最上部のティッシュペーパー２を取り出すと、次のティッシュペーパー２が取り出し易いように取出口５０ａよりその一部が突出する、所謂ポップアップ方式が採用されている。
【０００４】
【発明が解決しようとする課題】
しかしながら、前記携帯用ティッシュでは、取出口５０ａから埃や塵等が入り込み衛生的でないなどの問題があるとともに、ポップアップ方式で取り出しが可能とされるものは、ティッシュペーパーの一部がはみ出したままとなるため、見栄えが悪い、はみ出した部分が他と擦れてぼろぼろに成りやすいなどの欠点があった。
【０００５】
更に、ミシン目を開封するに当たり、摘み部分が存在せず引裂方向へ力を加えづらいため、ミシン目によっては開封に手間取ることがあった。
【０００６】
そこで本発明の主たる課題は、ミシン目による取出口から埃や塵等が入らないようにして衛生的な状態を保つようにするとともに、好ましくはミシン目の開封を容易に行えるようにした携帯用ティッシュを提供することにある。
【０００７】
【課題を解決するための手段】
前記課題を解決するために請求項１に係る本発明として、２枚一組のティッシュペーパーが上下のティッシュペーパーと折り重ねられた状態で重畳されるとともに、このティッシュペーパー束が表面側に長手方向に沿ってミシン目が形成されたフィルム包装袋内に収容された携帯用ティッシュにおいて、
前記フィルム包装袋は、ミシン目が形成された表面側シート部分において長手方向に連続する断面Ｚ状の折り部を有し、この折り部の自由片によって前記ミシン目が覆い隠されていることを特徴とする携帯用ティッシュが提供される。
【０００８】
請求項２に係る本発明として、前記折り部の幅は前記フィルム包装袋の短辺寸法の１０〜４０％としてある請求項１記載の携帯用ティッシュが提供される。
【０００９】
上記請求項１及び２記載の本発明では、フィルム包装袋の表面に形成された断面Ｚ状の折り部によってミシン目部分が覆い隠されるため、埃や塵等が入ることがなく、いつまでも衛生的な状態を保持できるようになる。また、ミシン目の開封に当たり、前記断面Ｚ状の折り部が摘み部となるため、ミシン目に引裂方向へ力を加え易くなり容易に開封できるようになる。
【００１０】
請求項３に係る本発明として、２枚一組のティッシュペーパーが上下のティッシュペーパーと折り重ねられた状態で重畳されるとともに、このティッシュペーパー束が表面側に長手方向に沿ってミシン目が形成されたフィルム包装袋内に収容された携帯用ティッシュにおいて、
前記ミシン目を覆う開閉可能な蓋用シート材を設けるとともに、前記蓋用シート材の先端部分において、該蓋用シート材の内面及び／又はフィルム包装袋側に剥離可能な粘着剤層を設けたことを特徴とする携帯用ティッシュが提供される。
【００１１】
請求項４に係る本発明として、前記蓋用シート材は、フィルム包装袋の一部を延在させて形成したフィルム包装袋と一体の部材である請求項３記載の携帯用ティッシュが提供される。
【００１２】
請求項５に係る本発明として、前記蓋用シート材は、フィルム包装袋とは別体の部材である請求項３記載の携帯用ティッシュが提供される。
【００１３】
【発明の実施の形態】
以下、本発明の実施の形態について図面を参照しながら詳述する。
（第１形態例）
図１は携帯用ティッシュ１の斜視図、図２は図１のＩＩ−ＩＩ線矢視図、図３は平面図である。
【００１４】
図１に示されるように、携帯用ティッシュ１は、２枚一組のティッシュペーパー２が上下に積み重ねられるティッシュペーパー２、２と折り重ねられた状態で重畳されたティッシュペーパー束２Ａが、プラスチック製のフィルム包装袋３内に収容されたものである。なお、同図では包装形態は、開口側短辺４，４の２辺をシール封鎖する２辺シール包装（以下、ピロー包装ともいう。）が採用されている。前記重畳されたティッシュペーパー束２Ａは、１０〜５０ｍｍ程度の厚みとされ、フィルム包装袋３は、収容されるティッシュペーパー束２Ａがヨレや型崩れを起こし難いように、好ましくは厚みが５０〜１００μｍとされ、従来のフィルム包装袋からすればかなり厚手のものが使用されている。素材はポリエチレン又はポリプロピレンなどを好適に使用することができる。
【００１５】
前記フィルム包装袋３の表面にはミシン目３ａが形成されており、使用時には前記ミシン目３ａを開封し（以降、取出口３ａともいう。）、最上部のティッシュペーパー２を取り出すと、次のティッシュペーパー２が取り出し易いように取出口３ａよりその一部が突出する、所謂ポップアップ方式が採用されている。
【００１６】
前記ティッシュペーパー２の重畳構造としては、ボックスタイプなどで採用されている一般的な２つ折りの他、３つ折り（Ｚ折り又は変形Ｚ折り）などがある。前記２つ折り重畳構造は、図６に示されるように、各ティッシュペーパー２が略中央線を折り目として約半分に折り畳まれ、ティッシュペーパー２を１枚づつ交互に対向させ、上側に重ね合わされるティッシュペーパーの下側部分２ａと下側に重ね合わされるティッシュペーパーの上側部分２ｂとを順次重ね合わせて成る重畳構造である。前記３つ折りは、主にウェットティッシュなどに採用されている重畳構造で、例えば図７に示されるように、各ティッシュペーパー２がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分２ｂ、この上部分に隣接する中間を中部分２ｃ、残りを下部分２ｄとして、下側に重ね合わされるティッシュペーパー２の前記上部分２ｂのほぼ先端側半分が、上側に重ね合わされるティッシュペーパー２の前記上部分２ｂと中部分２ｃとによって挟まれながら、順次ティッシュペーパー２が積み重ねられている重畳構造や、図８に示されるように、中央線を折り目として約半分に折り畳まれた第１ティッシュペーパー２と、外側部分がそれぞれ反対面側に折り返され断面Ｚ状とされる第２ティッシュペーパー２’とが積層方向に交互に配列されるとともに、前記第１ティッシュペーパー２の上側部分２ｂのほぼ先端側半分が前記第２ティッシュペーパー２’の断面Ｚ形状を構成する下側の折返し部分２ｇと中間部分２ｆとの間に挟まれ、かつ前記第１ティッシュペーパー２の下側部分２ａのほぼ先端側半分が前記第２ティッシュペーパー２’の断面Ｚ形状を構成する上側折返し部分２ｅと中間部分２ｆとに挟まれながら順次積み重ねられている重畳構造などを挙げることができる。
【００１７】
本携帯用ティッシュ１では、図２にも示されるように、フィルム包装袋３の表面側シート部分においてフィルム包装袋３の長手方向に連続する断面Ｚ状の折り部５が形成され、この折り部５の自由片７により前記ミシン目３ａが覆い隠されるようになっている。この折り部５は、例えば製造ラインの包装過程で、フィルム包装袋３の表面側に前記折り部５を形成するように折り畳み、かつ内部にティッシュペーパー束２Ａを収容した状態で開口側短辺４，４をシール封鎖することにより折り状態を安定させることができる。なお、図示例では折り部５の両側端部を開口側短辺４，４に重ねて一体的にシール封鎖したが、折り部５の両側端部を開口側短辺４，４とは別にシール封鎖し、折り部５の両側端部において自由片７が起立できるようにしてもよい。
【００１８】
以上の携帯用ティッシュ１では、前記ミシン目３ａを開封した後、ミシン目開封部から埃や塵が入り込まず、常に衛生的な状態を保つことができるとともに、ポップアップされたティッシュペーパーの一部が外部にはみ出さないように折り部５の内面側に隠蔽することができる。また、ミシン目３ａの開封に当たり、前記折り部５を摘んで、ミシン目３ａに引裂方向へ力を加えるようにすれば、簡単に開封できるようになる。
【００１９】
図３に示すように、前記折り部５の幅Ｓは、前記フィルム包装袋の短辺寸法Ｌの１０〜４０％、好ましくは１２〜２０％とするのが望ましい。折り部幅Ｓが短辺寸法Ｌの１０％未満の場合には、重ね代が少なく塵や埃が侵入する可能性があるとともに、ポップアップされたティッシュペーパー２の一部が外部にはみ出すようになる。折り部幅Ｓが短辺寸法Ｌの４０％を超える場合には、ミシン目３ａの開封部からティッシュペーパー２が取り出しづらくなる。前記ミシン目３ａは図示例では折り部５のほぼ中央に形成するようにしたが、奥側または手前側に偏倚していてもよい。
【００２０】
ところで、本携帯用ティッシュ１は、鼻炎、花粉症等のある程度の使用量が必要とされる際に、使用に供されるものであるため、ティッシュペーパー２は、グリセリンや多価アルコール等の保湿成分を含浸させたローション入りティッシュペーパー２とするのが望ましい。前記保湿成分はシート重量に対して５〜３０％含浸させるようにするのが望ましい。また、ティッシュペーパー２の米坪は通常通り、１０〜２５ｇ／ｍ２のものが好適に用いられる。
【００２１】
（第２形態例）
次いで、図４及び図５に基づいて第２形態例に係る携帯用ティッシュ１Ａについて詳述する。
【００２２】
第２形態例に係る携帯用ティッシュ１Ａは、図４に示されるように、フィルム包装袋３の一部を延在させて前記ミシン目３ａを覆う開閉可能な蓋用シート材３Ａを設けるとともに、前記蓋用シート材３Ａの先端部分において、該蓋用シート材３Ａの内面及び／又はフィルム包装袋３側に剥離可能な粘着剤層６を設けたものである。
【００２３】
前記蓋用シート材３Ａを形成するには、図５に示されるように、ティッシュペーパー束２Ａを巻き込むようにしながら、蓋用シート材３Ａ部分を上面側に重ね合わせ、かつ内部にティッシュペーパー束２Ａを収容した状態で開口側短辺４，４をシールによって封鎖すればよい。
【００２４】
なお、上記例ではフィルム包装袋３の一部を延在させて前記ミシン目３ａを覆う開閉可能な蓋用シート材３Ａを設けるようにしたが、蓋用シート材は別体とし、図９に示される携帯用ティッシュ５０に対し追加的に設けられるものであってもよい。
【００２５】
【発明の効果】
以上詳説のとおり本発明によれば、ミシン目による取出口から埃や塵等が入るのを阻止して、常に衛生的な状態を保つことができるようになるとともに、特に請求項１、２記載の発明の場合には、折り部を摘み部とすることによりミシン目の開封が容易に行えるようになる。
【図面の簡単な説明】
【図１】本発明の第１形態例に係る携帯用ティッシュ１の斜視図である。
【図２】図１のＩＩ−ＩＩ線矢視図である。
【図３】携帯用ティッシュ１の平面図である。
【図４】本発明の第２形態例に係る携帯用ティッシュ１Ａの斜視図である。
【図５】図４のＶ−Ｖ線矢視図である。
【図６】ティッシュペーパー２の重畳構造（２つ折り）を示す断面図である。
【図７】ティッシュペーパー２の重畳構造（３つ折り）を示す断面図である。
【図８】ティッシュペーパー２の重畳構造（変形３つ折り）を示す断面図である。
【図９】従来のハンディ型携帯用ティッシュを示す斜視図である。
【符号の説明】
１・１Ａ…携帯用ティッシュ、２…ティッシュペーパー、２Ａ…ティッシュペーパー束、３…フィルム包装袋、３ａ…ミシン目、４…開口側短辺、５…折り部、６…粘着剤層
【図１】
2004224362.tif 000003
【図２】
2004224362.tif 000004
【図３】
2004224362.tif 000005
【図４】
2004224362.tif 000006
【図５】
2004224362.tif 000007
【図６】
2004224362.tif 000008
【図７】
2004224362.tif 000009
【図８】
2004224362.tif 000010
【図９】
2004224362.tif 000011